(57)【要約】  携帯メディアデバイス上で、例えば、複数の入力フィールドの中心点の右方の入力フィールドのように、特定の位置の前記入力フィールドを押すことによって、たとえ本デバイスの方向がどのようであっても同様の機能が生じることができるということをユーザは常に知ることができる。
2010503924.tif 000002
【特許請求の範囲】
【請求項１】
メディアを再生するための携帯メディアデバイス上の入力動作に対する機能を割り当てる方法であって、
方向指示を受信すること３１０と、
前記方向指示に基づいて、前方の入力動作に対する第１の機能を割り当てること３２０と、
前記方向指示に基づいて、後方の入力動作に対する第２の機能を割り当てること３３０と、
を備えることを特徴とする方法。
【請求項２】
前方の入力動作１５０は、
前記方向指示に基づいて、入力セクション１１０の中心点１２０の論理的に前方に位置付けられる入力フィールドを選択することと、
前記方向指示に基づいて、前記入力セクション１１０の前記中心点１２０の後方の位置から前記入力セクション１１０の前記中心点１２０の前方の位置へとタッチパッドをタッチすることと、
を備えるグループから選択される一つを備え、
後方の入力動作は、
前記方向指示に基づいて、前記入力セクション１１０の前記中心点１２０の論理的に後方に位置付けられる入力フィールドを選択することと、
前記方向指示に基づいて、前記入力セクション１１０の前記中心点１２０の前方の位置から前記入力セクション１１０の前記中心点１２０の後方の位置へとタッチパッドをタッチすることと、
を備えるグループから選択される一つを備えることを特徴とする請求項１に記載の方法。
【請求項３】
上方の入力動作に対する第３の機能を割り当てること３４０と、
下方の入力動作に対する第４の機能を割り当てること３５０と、
をさらに備えることを特徴とする請求項１に記載の方法。
【請求項４】
前記上方の入力動作１４０は、
前記方向指示に基づいて、入力セクション１１０の中心点１２０の論理的に上方に位置付けられる入力フィールドを選択することと、
前記方向指示に基づいて、前記入力セクション１１０の前記中心点１２０の下方の位置から前記入力セクション１１０の前記中心点１２０の上方の位置へとタッチパッドをタッチすることと、
を備えるグループから選択される一つを備え、
下方の入力動作は、
前記方向指示に基づいて、前記入力セクション１１０の前記中心点１２０の論理的に下方に位置付けられる入力フィールドを選択することと、
前記方向指示に基づいて、前記入力セクション１１０の前記中心点１２０の上方の位置から前記入力セクション１１０の前記中心点１２０の下方の位置へとタッチパッドをタッチすることと、
を備えるグループから選択される一つを備えることを特徴とする請求項３に記載の方法。
【請求項５】
表示される前記メディアと、
前記携帯メディアデバイスの方向指示器と、
前記携帯メディアデバイスに対するアクセサリと、
選択と、
を備えるグループから選択される一つから前記方向指示を受信すること３１０と、
をさらに備えることを特徴とする請求項１に記載の方法。
【請求項６】
ビデオメディア及び写真メディアに水平方向指示を割り当てることと、
音楽メディアに垂直方向指示を割り当てることと、
をさらに備えることを特徴とする請求項５に記載の方法。
【請求項７】
前記入力フィールドは前記携帯メディアデバイス上の表示部の裏側上に位置付けられることを特徴とする請求項１に記載の方法。
【請求項８】
前記第１の機能は前方の機能であり、前記第２の機能は逆の機能であることを特徴とする請求項１に記載の方法。
【請求項９】
前記第３の機能は増加の機能であり、前記第４の機能は減少の機能であることを特徴とする請求項１に記載の方法。
【請求項１０】
前記増加の機能は、メニューを介した音量増加と上方移動とを備えるグループから選択され、
前記減少の機能は、メニューを介した音量減少と下方移動とを備えるグループから選択されることを特徴とする請求項９に記載の方法。
【請求項１１】
表示部１７０と、
コンピュータ実行可能命令を保存するメモリ２１０と、
前記コンピュータ実行可能命令の実行に適合している処理部２２０と、
入力フィールドと、を備え、
前記入力フィールドは、中心点を中心として、前記中心点の下方の方向１３０、上方の方向１４０、前方の方向１５０、及び、後方の方向１６０に配置され、
前記コンピュータ実行可能命令は、
方向指示を受信するための命令３１０と、
前記方向の向きに基づいて、前記中心点の論理的に前方に位置付けられる入力フィールドに対する前方の機能を割り当てる命令であって、
送りと、
次の曲と、
次の写真と、
スライドショー送りと、
次の章と、
スキャンと、
異なる速度でのスキャンと、
を備えるグループから選択される前記前方の機能を割り当てる命令と、
前記方向指示に基づいて、前記中心点の論理的に後方に位置付けられる入力フィールドに対する逆の機能を割り当てる命令であって、
ビデオ又はオーディオを介した、
巻き戻しと、
前の曲と、
前の写真と、
スライドショー戻しと、
現在の章を始めることと、
スキャン戻しと、
異なる速度でのスキャン戻しと、
を備えるグループから選択される前記逆の機能を割り当てる命令と、
を備えることを特徴とする携帯メディアデバイス。
【請求項１２】
前記方向指示に基づいて前記中心点の論理的に上方に位置付けられる入力フィールドに対する増加の機能を割り当てること３４０と、
前記方向指示に基づいて前記中心点の論理的に下方に位置付けられる入力フィールドに対する減少の機能を割り当てること３５０と、
に関するコンピュータ実行可能命令をさらに備えることを特徴とする請求項１１に記載の携帯メディアデバイス。
【請求項１３】
前記増加の機能は、メニューを介した音量増加と上方移動を備えるグループから選択され、前記減少の機能は、メニューを介した音量減少と下方移動を備えるグループから選択されることを特徴とする請求項１２に記載の携帯メディアデバイス。
【請求項１４】
表示される前記メディアから前記方向指示を受信するためのコンピュータ実行可能命令をさらに備え、ビデオメディア及び写真メディアが水平方向指示を割り当てられ、音楽メディアが垂直方向指示を割り当てられることを特徴とする請求項１１に記載の携帯メディアデバイス。
【請求項１５】
前記携帯メディアデバイス中の方向指示器から前記方向指示を受信する３１０ためのコンピュータ実行可能命令をさらに備えることを特徴とする請求項１１に記載の携帯メディアデバイス。
【請求項１６】
選択される前記方向指示を許容するためのコンピュータ実行可能命令をさらに備えることを特徴とする請求項１１に記載の携帯メディアデバイス。
【請求項１７】
前記入力フィールドは前記携帯メディアデバイス上の表示部の裏側の位置であることを特徴とする請求項１１に記載の携帯メディアデバイス。
【請求項１８】
メディアの再生に関する携帯メディアデバイス上の入力フィールドに対する機能を割り当てるコンピュータ実行可能命令を保存するためのコンピュータ可読媒体において、
前記入力フィールドは、中心点の、下方の方向、上方の方向、前方の方向、後方の方向であり、
前記コンピュータ実行可能命令は、
方向指示を受信するための命令３１０と、
前記方向指示に基づいて、前記中心点の論理的に前方に位置付けられる入力フィールドに対する前方の機能を割り当てる３２０コンピュータ実行可能命令であって、
送りと、
次の曲と、
次の写真と、
スライドショー送りと、
次の章と、
スキャンと、
異なる速度でのスキャンと、
を備えるグループから選択される前記前方の機能を割り当てるコンピュータ実行可能命令と、
前記方向指示に基づいて、前記中心点の論理的に後方に位置付けられる入力フィールドに対する逆の機能を割り当てる３３０コンピュータ実行可能命令であって、
ビデオ又はオーディオを介した、
巻き戻しと、
前の曲と、
前の写真と、
スライドショー戻しと、
現在の章を始めることと、
スキャン戻しと、
異なる速度でのスキャン戻しと、
を備えるグループから選択される前記逆の機能を割り当てるコンピュータ実行可能命令と、
前記方向指示に基づいて、前記中心点の論理的に上方に位置付けられる入力フィールドに対する増加の機能を割り当てる３４０コンピュータ実行可能命令であって、
メニューを介した、
音量増加と、
上方移動と、
を備えるグループから選択される前記増加の機能を割り当てるコンピュータ実行可能命令と、
前記方向指示に基づいて、前記中心点の論理的に下方に位置付けられる入力フィールドに対する減少の機能を割り当てる３５０コンピュータ実行可能命令であって、
メニューを介した、
音量減少と、
下方移動と、
を備えるグループから選択される前記減少の機能を割り当てるコンピュータ実行可能命令と、
を備えることを特徴とするコンピュータ可読媒体。
【請求項１９】
表示される前記メディアから前記方向指示を受信するためのコンピュータ実行可能命令をさらに備えることを特徴とする請求項１８に記載のコンピュータ可読媒体。
【請求項２０】
前記携帯メディアデバイス中の方向指示器から前記方向指示を受信するためのコンピュータ実行可能命令をさらに備え、ビデオメディア及び写真メディアが水平方向指示を割り当てられ、音楽メディアが垂直方向指示を割り当てられることを特徴とする請求項１８に記載のコンピュータ可読媒体。
【請求項２１】
選択される前記方向指示を許容するためのコンピュータ実行可能命令をさらに備えることを特徴とする請求項１８に記載のコンピュータ可読媒体。
【発明の詳細な説明】
【背景技術】
【０００１】
携帯メディアデバイスは、そのデバイス又は、例えば、ステレオ、テレビなどの、遠隔装置に取り付けられるディスプレイ上の音楽ファイル、ビデオファイル、フォトファイルのような様々なファイルタイプを保存及び再生するために適合されることができる。これらのデバイスの利用が増加するにつれて、ディスプレイ上で有効に情報を提供する能力はより興味深いものになっている。したがって、表示されるものの方向を変えることはより役立つ情報を提供する一つの方法となっている。しかしながら、表示されるものの方向を変えることによって、全体のデバイス自体が適当にディスプレイを表示するために回転しなければならない。したがって、デバイス上の入力フィールドもまた方向を移動し、デバイスが回転するとき、入力フィールドが実行する機能に関して混乱を引き起こす。
【発明の概要】
【課題を解決するための手段】
【０００２】
携帯メディアデバイスが回転するとき、入力フィールドがデバイスとともに回転するにつれてデバイス上の入力フィールドの機能に関する混乱が生じることになる可能性がある。混乱を解決するためのアプローチは、方向指示に基づいて入力フィールドに対する機能を割り当てる、又は位置付けることである。ここで、方向指示は表示されるメディアの希望の方向を提供する。方向指示は、メディアによって提供され、デバイス内の方向指示器によって提供され、又はユーザによって選択される場合がある。その方法の結果として、例えば、デバイス上の入力フィールドの中心点の右方の入力フィールドのように、特定の位置において入力フィールドを押すことによって、そのデバイスの方向がどのようであっても同様の機能が生じることができるということをユーザは常に知ることができる。
【図面の簡単な説明】
【０００３】
【図１】垂直方向における携帯メディアデバイスのサンプルを示す図である。
【図２】携帯メディアデバイスのためのハードウェアを示す図である。
【図３】特許請求の範囲による方法のフローチャートを示す図である。
【図４】水平方向における携帯メディアデバイスを示す図である。
【図５】裏面上に入力フィールドを有する水平方向における携帯メディアデバイスを示す図である。
【発明を実施するための形態】
【０００４】
図１は携帯メディアデバイス１００の例示である。携帯メディアデバイス１００は、音楽ファイル（例えば、ｗａｖファイル、ｍｐ３ファイル、等）、ビデオファイル（例えば、ｗａｖファイル、ｍｐｅｇファイル、ｍｐｅｇ４ファイル、等）、フォトファイル（例えば、ｊｐｅｇ、ｇｉｆ、等）又は電子データファイルの任意のその他のタイプのような様々なファイルタイプを保存及び再生するために適合することができる。音楽ファイルは単に従来型の音楽ファイルだけではなく、ポッドキャストや音声記録、オーディオブック等も含む。本デバイス１００は様々な情報源から放送を受信するためのＦＭラジオ、ＡＭラジオ、衛星放送受信機、又はＴＶチューナも有することができる。追加の機能は、例えば、ＷｉＦｉ機能、音楽、写真又はビデオを別の装置に送信する機能、音声を記録する機能、写真やビデオを撮る機能、電話をする機能、ＧＰＳ信号を受けとる機能及び位置を計算する機能、ビデオゲームを再生する機能、予定表をつける機能、連絡をとる機能などを確実に利用可能である。本デバイス１００は中心点１２０の周りに複数の入力フィールド１３０、１４０、１５０、１６０を有し、本デバイス１００が垂直位置にある場合、入力セクション１１０の中心点１２０の下方の方向に１３０、上方の方向に１４０、前方の方向に１５０、後方の方向に１６０となる入力セクション１１０を有することができる。携帯メディアデバイス１００はまた、表示部１７０を有することができる。
【０００５】
図２は携帯メディアデバイス１００に使用されるハードウェアの例示である。本デバイス１００は、メモリ２１０、処理部２２０、例えば、入力フィールド（図１）１３０、１４０、１５０、又は１６０を有する入力セクション１１０又は入力セクション１１０として作動するタッチパッドなどの入力装置２３０、例えば、表示部１７０（図１）などの出力装置２４０や電源（図示せず）を有することができる。メモリ２１０は揮発性（例えば、ＲＡＭ等）、不揮発性（例えば、ＲＯＭ、フラッシュメモリ等）又はこの二つのいくつかの組み合わせとすることができる。
【０００６】
本デバイス１００はまた、限定はされないが、磁気又は光学ディスク又はテープ又は容易に書き換えをすることができ、電力がなくなっても長時間データを保つことができ、素早く効率的にデータにアクセスすることができる任意の他のメモリを含む増設記憶装置（リムーバブル及び／又はノンリムーバブル）を含むことができる。そのような増設記憶装置はリムーバブル記憶装置２５０及びノンリムーバブル記憶装置２６０によって図２に例示される。コンピュータ記憶媒体は、例えば、コンピュータ可読命令、データ構造、プログラムモジュール又はその他のデータのような情報の保存に関する任意の方法又は技術において実装される、揮発性及び不揮発性、リムーバブル媒体及びノンリムーバブル媒体を含む。メモリ２１０、リムーバブル記憶装置２５０及びノンリムーバブル記憶装置２６０は全て、コンピュータ記憶媒体の例である。コンピュータ記憶媒体は、限定はされないが、ＲＡＭ、ＲＯＭ、ＥＥＰＲＯＭ、フラッシュメモリ又は他のメモリ技術を含む。任意のそのようなコンピュータ記憶媒体は本デバイス１００の一部とすることができる。
【０００７】
処理部２２０は、圧縮されたフォーマットからのデータをデコードして音楽やビデオがスキップやジャンプなしで継続的に再生されることができるほど、十分早く使用可能な形式にする計算機コードを実行することができる任意の処理部２２０とすることができる。それはまた、電源の寿命を増加するための電力の使用において処理部２２０が効率的であれば、実用的にすることができる。本デバイス１００はまた、本デバイス１００が他のデバイスと通信することを可能にする通信接続部２７０も含むことができる。通信接続部２７０は通信媒体の一例である。通信媒体は通例的に、例えば、搬送波又は他の搬送メカニズムのような、変調されたデータ信号におけるコンピュータ可読命令、データ構造、プログラムモジュール又は他のデータを具現化し、任意の情報配信メディアを含む。「変調されたデータ信号」という言葉は、その信号中の情報をエンコードする方法で設定又は変更される一つ又は複数の特徴を有する信号を意味する。例示の目的であって、限定はされないが、通信媒体は、例えば、有線ネットワーク又は直接有線接続などの有線媒体及び、例えば、音響、ＲＦ、赤外線及びその他の無線媒体などの無線媒体を含む。本明細書で用いられるようにコンピュータ可読媒体という言葉は、記憶媒体及び通信媒体を両方含む。
【０００８】
電源は再充電が可能なバッテリとすることができる。電源はまた、基本的なバッテリ、電力変換装置からの入力、又は他の携帯電源とすることができる。表示部１７０はカラー液晶ディスプレイ画面又は本デバイス１００の内側に適合する他のディスプレイタイプとすることができる。
【０００９】
複数個の入力フィールド１３０、１４０、１５０、１６０は、例えば、ボタンスイッチ、回転ダイアル、角度可変のディスク、フローティングパッド、タッチパッド、ジョイスティック又はメディアデバイス１００の内側に適合し、容認可能な長期信頼性を有する任意の適当な入力装置などの電気スイッチとすることができる。一実施形態では、入力フィールド１３０、１４０、１５０、１６０は入力セクション１１０の中心点１２０の周りに円を形成することができる。他の実施形態では、垂直方向において本デバイス１００を見る場合、入力フィールド１３０、１４０、１５０、１６０は、実質的に同じ垂直平面上に、下方の入力フィールド１３０の上に上方の入力フィールド１４０と同軸上に配置することができ、前方のボタン１５０は後方のボタン１４０の同じ水平面上で右方であることができる。さらに他の実施形態では、入力装置は任意の方向において入力セクション１１０の中心点１２０から回転する円形形状のディスクである。ディスクが回転する方向は選択される入力フィールド１３０、１４０、１５０、１６０である。更なる実施形態では、入力フィールド１３０、１４０、１５０、１６０はジョイスティックタイプのデバイスによって作動することができる。
【００１０】
他の実施形態では、入力セクション１１０のタッチパッドは入力フィールド１３０、１４０、１５０、１６０として用いることができ、タッチパッドに対するタッチの方向は、例えば、前方のボタン１５０の選択を示す前方のタッチなど、選択を示すことができる。もちろん、多数の追加の実施形態が可能であり、意図される。全てのこれらのデバイスは従来技術において周知であり、ここで詳細に論じる必要はない。
【００１１】
図３は、携帯メディアデバイス１００上の入力フィールドに機能を割り当てる方法の例示である。入力セクション１００（図１）は、本デバイス１００が垂直位置にある場合、入力セクション１００の中心点１２０の下方の１３０、上方の１４０、前方の１５０、後方の１６０の方向におけるフィールドを有することができる。
【００１２】
ブロック３１０では、本方法は方向指示を受信することができる。方向指示は本デバイス１００の好ましい方向を示すことができる。方向指示は様々な情報源によって提供されることができる。一実施形態では、選択されるメディアが方向指示を提供してもよい。例えば、ビデオメディア及び写真メディアは水平方向指示を提供し、音楽メディアは垂直方向指示を提供することができる。他の実施形態では、再生される個人ファイルが方向指示を提供してもよい。例えば、垂直方向において撮られた写真は垂直方向指示を提供することができる。その他の例として、音楽ファイルに関連した作品は、作品に従って、水平方向指示又は垂直方向指示を提供することができる。
【００１３】
さらに他の実施形態では、本デバイス１００自体が方向指示を提供してもよい。周知のように加速度計又は他の方向報告装置は、デバイスの方向を報告することができる。本デバイス１００の方向と再生されるファイルのタイプを考慮に入れることによって、適当な方向が報告されることができる。例えば、本デバイス１００が図４のように水平であり、画像が垂直に表示されることを意味する場合、本デバイス１００の方向信号は、本デバイス１００を回転する必要なしに画像が鑑賞されるように、表示部１７０上で水平に表示される画像を要求することができる。
【００１４】
さらに他の実施形態では、方向指示はユーザによって選択されてもよい。例えば、写真に関する初期設定の方向指示は水平方向において本デバイス１００で写真を表示することができる。しかしながら、ユーザは本デバイス１００の方向が垂直であることを意図して写真を撮る可能性があり、ユーザは方向の指示を垂直に変える可能性がある。
【００１５】
他の実施形態では、方向指示は、例えば、本デバイス１００に関するドックのようなメインデバイスに接続された他のデバイス又はアクセサリによって選択してもよい。デバイス１００自体が方向指示を提供することができ、又は、追加されたデバイスが方向指示を提供することができる。
【００１６】
ブロック３２０では、本方法は第１の機能を前方の入力動作に割り当てる、又は位置付けることができる。前方の入力動作は、第１の機能を選択するための希望を示す任意のタイプの動作であることができる。一実施形態では、前方の入力動作は、方向指示に基づく入力セクション１１０の中心点１２０の論理的に前方に位置付けられる入力フィールド１３０、１４０、１５０、１６０を選択することとしてもよい。本デバイス１００が垂直方向である図１を参照すると、入力フィールド１５０は入力セクション１１０の中心点１２０の論理的に前方であり、第１の機能に割り当てられるであろう。もちろん、表示部１７０が入力セクション１１０の中心点１２０の下方に位置付けられる場合（図示せず）、本デバイス１００は逆さまの垂直方向であることができ、同様の論理的割り当てが生じることができる。本デバイス１００が水平方向である図４を参照すると、入力フィールド１４０は入力セクション１１０の中心点１２０の論理的に前方であり、第１の機能に割り当てられることができる。もちろん、表示部１７０が入力セクション１１０の中心点１２０の前方に位置付けられる場合（図示せず）、本デバイス１００は逆さまの水平方向であることができ、同様の論理的割り当てが生じることができる。図５を参照すると、入力セクション１１０が表示部１７０の反対側に回転する場合、入力フィールド１４０は入力セクション１１０の中心点の論理的に前方であり、第１の機能に割り当てられることができる。実質的に入力セクション１１０と表示部１７０の間のあらゆるタイプの回転が考慮にいれられることができ、機能に対する入力フィールド１３０、１４０、１５０、１６０の論理的割り当てが生じることができる。
【００１７】
他の実施形態では、タッチパッドが用いられる場合、前方の入力動作は入力セクション１１０の中心点１２０に関する特定の方法におけるタッチパッド上のタッチ動作としてもよい。例えば、図１を参照すると、入力セクション１１０の中心点１２０の後方から始まり、入力セクション１１０の中心点１２０の前方で終わるタッチは前方の入力動作である。例えば、図４のように、たとえ本デバイス１００が水平位置へ回転されても、入力セクション１１０の中心点１２０の後方から始まり、入力セクション１１０の中心点１２０の前方で終わるタッチは前方の入力動作である。
【００１８】
一実施形態では、第１の機能は前方の機能としてもよい。前方の機能は一連のメニューを介して又はメディアを介して前方に移動することに論理的に関連する。いくつかの前方の機能のサンプルは早送り、次の曲、次の写真、スライドショー送り、次の章及びスキャン送りを含むことができる。前方の機能は再生されているメディアに依存してもよい。例えば、写真を見ている場合、前方の機能は次の写真又はスライドショー送りを示すことができ、一方で音楽を聴いている場合、前方の機能は早送り又は次の曲を示すことができる。
【００１９】
ブロック３３０では、本方法は第２の機能を逆の入力動作に割り当てる、又は位置づけることができる。逆の入力動作は、第２の機能を選択するための希望を示す任意のタイプの動作とすることができる。一実施形態では、逆の入力動作は方向指示に基づいて中心点の論理的に後方に位置付けられる入力フィールド１３０、１４０、１５０、１６０を選択することとしてもよい。本デバイス１００が垂直方向である図１を参照すると、入力フィールド１５０は入力セクション１１０の中心点１２０の論理的に後方であり、第２の機能に割り当てられるであろう。本デバイス１００が水平方向である図４を参照すると、入力フィールド１３０は入力セクション１１０の中心点１２０の論理的に後方であり、第２の機能に割り当てられることができる。図５を参照すると、入力セクション１１０が表示部１７０の反対側に回転する場合、入力フィールド１３０は入力セクション１１０の中心点１２０の論理的に後方であり、第２の機能に割り当てられることができる。
【００２０】
他の実施形態では、タッチパッドが用いられる場合、逆の入力動作は入力セクション１１０の中心点１２０に関する特定の方法におけるタッチパッド上のタッチ動作としてもよい。例えば、図１を参照すると、入力セクション１１０の中心点１２０の前方位置から始まり、入力セクション１１０の中心点１２０の後方に終わるタッチは逆の入力動作とすることができる。例えば、図４のように、たとえ本デバイス１００が水平位置に回転されるとしても、入力セクション１１０の中心点１２０の前方位置から始まり、入力セクション１１０の中心点１２０の後方に終わるタッチは逆の入力動作とすることができる。
【００２１】
一実施形態では、第２の機能は逆の機能としてもよい。逆の機能は、一連のメニューを介して、又はメディアを介して後方に移動することに論理的に関連する機能とすることができる。いくつかの逆の機能のサンプルは巻き戻し、前の曲、前の写真、スライドショー戻し、前の章及びスキャン戻しを含むことができる。逆の機能は再生されているメディアに依存してもよい。例えば、写真を見ている場合、逆の機能は前の写真又はスライドショー戻しを示すことができ、一方で音楽を聴いている場合、逆の機能は巻き戻し、前の音楽の曲を示すことができる。
【００２２】
ブロック３４０では、本方法は第３の機能を上方の入力動作に割り当てる、又は位置付けることができる。上方の入力動作は、第３の動作を選択するための希望を示す任意のタイプの動作とすることができる。一実施形態では、上方の入力動作は第３の機能を選択するための希望を示す入力フィールド１３０、１４０、１５０、１６０への任意のタイプの動作としてもよい。一実施形態では、入力動作は方向指示に基づいて中心点の論理的に上方に位置付けられる入力フィールド１３０、１４０、１５０、１６０の選択としてもよい。本デバイス１００が垂直方向である図１を参照すると、入力フィールド１４０は入力セクション１１０の中心点１２０の論理的に上方であり、第３の機能が割り当てられるであろう。本デバイス１００が水平方向である図４を参照すると、入力フィールド１６０は入力セクション１１０の中心点１２０の論理的に上方であり、第３の機能が割り当てられることができる。図５を参照すると、入力セクション１１０が表示部１７０の反対側に回転する場合、入力フィールド１５０は入力セクション１１０の中心点の論理的に上方であり、第３の機能が割り当てられることができる。
【００２３】
他の実施形態では、タッチパッドが用いられる場合、上方の入力動作は入力セクション１１０の中心点１２０に関する特定の方法におけるタッチパッド上のタッチ動作としてもよい。例えば、図１を参照すると、入力セクション１１０の中心点１２０の下方から始まり、入力セクション１１０の中心点１２０の上方に終わるタッチは上方の入力動作とみなされることができる。例えば、図４のように、たとえ本デバイス１００が水平位置に回転されるとしても、入力セクション１１０の中心点１２０の下方から始まり、入力セクション１１０の中心点１２０の上方に終わるタッチは上方の入力動作とみなされることができる。
【００２４】
一実施形態では、第３の機能は増加の機能としてもよい。増加の機能は、例えば、メニューシステム又はメディアを介して、音量を上げる又は上方に移動するような、デバイス上の何かを増加することに論理的に関連する機能とすることができる。増加の機能は本デバイス１００の状態に依存してもよい。本デバイス１００が音楽を再生している場合、増加の機能は音量を増加することができ、本デバイス１００がメニューを表示している場合、増加の機能はメニューオプションを介して上方に移動することができる。
【００２５】
ブロック３５０では、本方法は第４の機能を下方の入力動作に割り当てる、又は位置付けることができる。下方の入力動作は、第４の機能を選択するための希望を示す任意のタイプの動作とすることができる。一実施形態では、下方の入力動作は方向指示に基づいて入力セクション１１０の中心点１２０の論理的に下方に位置付けられる入力フィールド１３０、１４０、１５０、１６０の選択としてもよい。本デバイス１００が垂直方向である図１を参照すると、入力フィールド１３０は入力セクション１１０の中心点１２０の論理的に下方であり、第４の機能が割り当てられるであろう。本デバイス１００が水平方向である図４を参照すると、入力フィールド１５０は入力セクション１１０の中心点１２０の論理的に下方であり、第４の機能が割り当てられることができる。図５を参照すると、入力セクション１１０が表示部１７０の反対側に回転する場合、入力フィールド１６０は入力セクション１１０の中心点の論理的に下方であり、第４の機能が割り当てられることができる。
【００２６】
他の実施形態では、タッチパッドが用いられる場合、下方の入力動作は入力セクション１１０の中心点１２０に関する特定の方法におけるタッチパッド上のタッチ動作としてもよい。例えば、図１を参照すると、入力セクション１１０の中心点１２０の上方から始まり、入力セクション１１０の中心点１２０の下方に終わるタッチは下方の入力動作とすることができる。例えば、図４のように、たとえ本デバイス１００が水平位置に回転するとしても、入力セクション１１０の中心点１２０の上方から始まり、入力セクション１１０の中心点１２０の下方に終わるタッチは下方の入力動作とすることができる。
【００２７】
一実施形態では、第４の機能は減少の機能としてもよい。減少の機能は、例えば、メニューを介して、音量又は下方に移動するような、本デバイス１００上の何かを減少することに論理的に関連する機能とすることができる。減少の機能は再生されているメディアに依存してもよい。例えば、音楽を聴いている場合、減少の機能は音量情報を含むことができる一方で、他の状況では、減少の機能は容易にメニューのカーソルを下方に移動することができる。
【００２８】
入力動作は様々な方法で達成されることができる。入力セクション１１０の入力フィールド１３０、１４０、１５０、１６０への入力は、所定長さの時間中の入力セクション１１０の入力フィールド１３０、１４０、１５０、１６０への複数回の物理的な接触又は所定長さの時間の継続的接触とすることができる。本デバイス１００のモードに依存して、所定時間の間の入力フィールド１３０、１４０、１５０、１６０への一回の接触は、第１の機能を有することができ、所定長さの時間の入力フィールド１３０、１４０、１５０、１６０への２回の接触は、第２の機能を有することができ、所定長さの時間の入力フィールド１３０、１４０、１５０、１６０への継続的接触は第３の機能を有することができる。例えば、音楽ファイルを聴きながら、前方の入力フィールド（図１）への最初の物理的接触は２倍速でスキャンを進める機能をもたらすことができ、所定期間内での前方の入力フィールド１５０への第２の物理的接触は三倍速でスキャンを進める機能をもたらすことができる。
【００２９】
他の実施形態では、タッチパッドが用いられる場合、入力フィールド１３０、１４０、１５０、１６０は、入力セクション１１０の中心点１２０に関する特定の方法で、入力セクション１１０をタッチすることによってアクセスされてもよい。例えば、図１で、本デバイス１００の方向を考慮することなく、入力セクション１１０の中心点１２０の前方に始まり、入力セクション１１０の中心点の後方に続くタッチは後方のフィールド１６０の選択とみなされる一方で、入力セクション１１０の中心点１２０の下方の点から始まり、入力セクション１１０の中心点１２０の上方に終わるタッチは上方のフィールド１４０の選択とすることができる。
【００３０】
本方法の結果として、例えば、本デバイス１００上の入力セクション１１０の中心点１２０の右方の入力フィールド１３０、１４０、１５０、１６０のような、特定の位置における入力フィールド１３０、１４０、１５０、１６０を押すことによって、たとえ本デバイス１００の方向がどのようであっても、同様の機能が生じることをユーザは常に知ることができる。
【００３１】
前述の本文は多数の異なる実施例の詳細な説明を述べるが、特許の範囲はこの特許の終わりで示す特許請求の範囲によって定められると理解すべきである。全ての可能な実施形態を説明することは不可能でないにしても実用的でないため、詳細な説明はただの一例として解釈すべきである。多くの代わりの実施形態は現在の技術や、請求項の範囲内に収まっている、この特許の出願日の後に開発された技術を用いて実施されることができる。
【００３２】
このように、多くの修正や変形が、本請求項の範囲や意図を逸脱することなしに、本明細書で記載され、説明された技術や構造でなされることができる。したがって、本明細書に記載された方法や装置はただの例示であり、請求項を限定するものではない。
【図１】
2010503924.tif 000003
【図２】
2010503924.tif 000004
【図３】
2010503924.tif 000005
【図４】
2010503924.tif 000006
【図５】
2010503924.tif 000007
【国際調査報告】
2010503924.tif 000008
2010503924.tif 000009